(57)【要約】【課題】温度変化によるカラーＬＥＤの特性変動を補償することのできるカラーＬＥＤ駆動装置を提供する。【解決手段】本発明のカラーＬＥＤ駆動装置は、予め設定された駆動定電圧ＶＤを供給する駆動定電圧部１００と、駆動定電圧ＶＤを複数の駆動電流に変換する駆動回路部２００と、駆動回路部２００からの複数の駆動電流のうち赤色ＬＥＤ用駆動電流Ｉｒｄ及び緑色ＬＥＤ用駆動電流Ｉｇｄの温度変化による変動を補償する温度補償部３００と、駆動電流によって点灯する複数のカラーＬＥＤを含むＬＥＤ部４００とを含んでおり、温度補償部３００においてＮＴＣサーミスタＴＨ２１、ＴＨ２２を利用して温度補償することを特徴とする。【選択図】図３
2007201473.tif 000002
【特許請求の範囲】
【請求項１】
予め設定された駆動定電圧を供給する駆動定電圧部と、
前記駆動定電圧部によって供給された駆動定電圧を、カラーＬＥＤを駆動するために赤色ＬＥＤ用駆動電流、緑色ＬＥＤ用駆動電流及び青色ＬＥＤ用駆動電流を含む複数の駆動電流に変換する駆動回路部と、
前記駆動回路部で変換された複数の駆動電流のうち、前記赤色ＬＥＤ用駆動電流及び緑色ＬＥＤ用駆動電流の温度変化による変動を補償する温度補償部と、
前記温度補償部からの駆動電流及び前記駆動回路部からの駆動電流によって点灯する複数のカラーＬＥＤを含むＬＥＤ部と
を備えていることを特徴とするカラーＬＥＤ駆動装置。
【請求項２】
前記温度補償部は、
前記赤色ＬＥＤ用駆動電流及び緑色ＬＥＤ用駆動電流を温度変化によって補償するＮＴＣサーミスタと、
前記ＮＴＣサーミスタに並列に連結されて前記赤色ＬＥＤ用駆動電流及び緑色ＬＥＤ用駆動電流の線形性を補償する線形補償用抵抗と
を含むことを特徴とする請求項１に記載のカラーＬＥＤ駆動装置。
【請求項３】
前記温度補償部は、
前記赤色ＬＥＤ用駆動電流を温度変化によって補償する第１ＮＴＣサーミスタと、前記第１ＮＴＣサーミスタに並列に連結されて前記赤色ＬＥＤ用駆動電流の線形性を補償する第１線形補償用抵抗とを含む第１温度補償回路と、
前記緑色ＬＥＤ用駆動電流を温度変化によって補償する第２ＮＴＣサーミスタと、前記第２ＮＴＣサーミスタに並列に連結されて前記緑色ＬＥＤ用駆動電流の線形性を補償する第２線形補償用抵抗とを含む第２温度補償回路と
を備えていることを特徴とする請求項１に記載のカラーＬＥＤ駆動装置。
【請求項４】
前記第１ＮＴＣサーミスタは、前記第２ＮＴＣサーミスタの温度感度よりも高い温度感度を有することを特徴とする請求項３に記載のカラーＬＥＤ駆動装置。
【請求項５】
前記ＬＥＤ部は、
一つの駆動電流によって駆動される複数のカラーＬＥＤを含む第１ＬＥＤ部と、
他の一つの駆動電流によって駆動される複数のカラーＬＥＤを含む第２ＬＥＤ部と、
さらに他の一つの駆動電流によって駆動される複数のカラーＬＥＤを含む第３ＬＥＤ部と
を含むことを特徴とする請求項１から請求項４のいずれか１項に記載のカラーＬＥＤ駆動装置。
【請求項６】
前記第１ＬＥＤ部は、複数の赤色ＬＥＤによって形成されている場合に前記赤色ＬＥＤ用駆動電流によって駆動されることを特徴とする請求項５に記載のカラーＬＥＤ駆動装置。
【請求項７】
前記第２ＬＥＤ部は、複数の緑色ＬＥＤによって形成されている場合に前記緑色ＬＥＤ用駆動電流によって駆動されることを特徴とする請求項５または請求項６に記載のカラーＬＥＤ駆動装置。
【請求項８】
前記第３ＬＥＤ部は、複数の青色ＬＥＤによって形成されている場合に前記青色ＬＥＤ用駆動電流によって駆動されることを特徴とする請求項５から請求項７のいずれか１項に記載のカラーＬＥＤ駆動装置。
【請求項９】
前記第１、第２及び第３ＬＥＤ部のそれぞれは、赤色ＬＥＤ、緑色ＬＥＤ及び青色ＬＥＤのうちの少なくとも２つのカラーＬＥＤを含んでいることを特徴とする請求項５に記載のカラーＬＥＤ駆動装置。
【発明の詳細な説明】
【技術分野】
【０００１】
本発明は、ＬＣＤバックライトのカラーＬＥＤを駆動する駆動装置に係り、特に、ＬＣＤバックライトに適用可能なカラーＬＥＤの駆動電流経路にＮＴＣサーミスタ（Ｎｅｇａｔｉｖｅ  Ｔｅｍｐｅｒａｔｕｒｅ  Ｃｏｅｆｆｉｃｉｅｎｔ  ｔｈｅｒｍｉｓｔｏｒ）を直接連結して温度変化によるＬＥＤの特性変動を補償することにより、フィードバック構造を備えることなくコンパクトな構成とすることができ、その結果として小型化及び低価格化を達成することのできるカラーＬＥＤ駆動装置に関する。
【背景技術】
【０００２】
一般に、ＬＣＤバックライトの光源として白色（Ｗｈｉｔｅ）ＬＥＤを使用した方式がモバイル機器用に広く用いられているが、中大型のＬＣＤバックライトでは、色再現性を向上させるために赤色（Ｒｅｄ）、緑色（Ｇｒｅｅｎ）及び青色（Ｂｌｕｅ）ＬＥＤを持つバックライトが開発されており、これと同じ効果を得るためにモバイル機器用においてもＲＧＢ−ＬＥＤバックライトが開発されてきている。
【０００３】
ところが、モバイル機器にＲＧＢ−ＬＥＤを適用するには、温度による発光特性偏差を低費用で解決しなければならないという課題が残っている。
【０００４】
周知の赤色(Ｒｅｄ)、緑色(Ｇｒｅｅｎ)及び青色(Ｂｌｕｅ)ＬＥＤにおいて、周囲温度（Ａｍｂｉｅｎｔ  Ｔｅｍｐｅｒａｔｕｒｅ）と相対輝度（Ｒｅｌａｔｉｖｅ  Ｌｕｍｉｎｏｓｉｔｙ）との関係を考慮した場合、ＬＥＤ動作中に周囲温度が次第に上昇すると、別個の熱放出手段や温度による光出力補償手段を備えていないと、ＲＧＢ−ＬＥＤの光出力は初期設定値に比べて赤色（Ｒｅｄ）、緑色（Ｇｒｅｅｎ）及び青色（Ｂｌｕｅ）ＬＥＤの順に次第に減少していく。
【０００５】
ところが、白色（Ｗｈｉｔｅ）ＬＥＤをバックライトに適用した場合、温度が上昇してもＬＥＤの効率が低下して輝度が減少する現象が現れるだけで、色座標のシフト（Ｓｈｉｆｔ）現象は大きく起こらないため、モバイル機器用バックライトでは温度補償回路を使用していない場合が殆どである。
【０００６】
上述したように、ＲＧＢ−ＬＥＤを用いたバックライトユニット（ＢＬＵ）では、周囲温度の上昇によって全体的な輝度の減少、色座標シフト（Ｓｈｉｆｔ）などの変化が発生することから、初期に設定された状態に比べて青色（Ｂｌｕｅ）方向に偏った色合いとなる傾向がある。このため、ＲＧＢ−ＬＥＤを用いたＬＣＤバックライトでは、白色ＬＥＤとは違い、温度変化によるＲＧＢ−ＬＥＤの光出力減少を補償するために、光出力を一定に維持する温度補償手段が必要とされている。
【０００７】
図１は、従来のカラーＬＥＤ駆動装置の構成を示す図である。
【０００８】
図１に示す従来のカラーＬＥＤ駆動装置は、予め設定された駆動定電圧ＶＤを供給する駆動電圧部１０と、カラーＬＥＤを駆動するために駆動電圧部１０から供給される駆動定電圧ＶＤを赤色ＬＥＤ用駆動電流Ｉｒｄ、緑色ＬＥＤ用駆動電流Ｉｇｄ及び青色ＬＥＤ用駆動電流Ｉｂｄに変換する駆動回路部２０と、駆動回路部２０で変換された赤色ＬＥＤ用駆動電流Ｉｒｄ、緑色ＬＥＤ用駆動電流Ｉｇｄ及び青色ＬＥＤ用駆動電流Ｉｂｄによってそれぞれ点灯する複数のカラーＬＥＤを含むＬＥＤ部３０とをから構成されている。
【０００９】
ＬＥＤ部３０は、複数の赤色ＬＥＤを含む赤色ＬＥＤ部３１と、複数の緑色ＬＥＤを含む緑色ＬＥＤ部３２と、複数の青色ＬＥＤを含む青色ＬＥＤ部３３とを含んでいる。
【００１０】
このような従来のカラーＬＥＤ駆動装置は、周囲温度が変わると、ＬＥＤの特性により周囲温度に応じて明るさ（輝度）が変わるという問題点がある。このような温度による輝度変動を図２に示す。
【００１１】
図２は、図１に示すカラーＬＥＤの輝度−温度特性を示すグラフである。
【００１２】
図２を参照すると、カラーＬＥＤのうち、青色（Ｂｌｕｅ）ＬＥＤは、温度変化によって輝度がほとんど変化しないが、赤色（Ｒｅｄ）ＬＥＤ及び緑色（Ｇｒｅｅｎ）ＬＥＤでは、周囲温度の変化によって敏感に接合抵抗が変わり、このような接合抵抗の変化によって駆動電流が変化するので、該当するＬＥＤの明るさ（輝度）が変わり、結果として色が青色にシフトするという問題点があった。
【発明の開示】
【発明が解決しようとする課題】
【００１３】
本発明は上述の問題点を解決するためになされたものであり、その目的は、ＬＣＤバックライトに適用可能なカラーＬＥＤの駆動電流経路にＮＴＣサーミスタ（ｔｈｅｒｍｉｓｔｏｒ）を直接連結して温度変化によるＬＥＤの特性変動を補償することにより、フィードバック構造を備えることなくコンパクトな構成とすることができ、その結果として小型化及び低価格化を達成することのできるカラーＬＥＤ駆動装置を提供することにある。
【課題を解決するための手段】
【００１４】
上記目的を達成するために、本発明のカラーＬＥＤ駆動装置は、予め設定された駆動定電圧を供給する駆動定電圧部と、前記駆動定電圧部によって供給された駆動定電圧を、カラーＬＥＤを駆動するために赤色ＬＥＤ用駆動電流、緑色ＬＥＤ用駆動電流及び青色ＬＥＤ用駆動電流を含む複数の駆動電流に変換する駆動回路部と、前記駆動回路部で変換された複数の駆動電流のうち、前記赤色ＬＥＤ用駆動電流及び緑色ＬＥＤ用駆動電流の温度変化による変動を補償する温度補償部と、前記温度補償部からの駆動電流及び前記駆動回路部からの駆動電流によって点灯する複数のカラーＬＥＤを含むＬＥＤ部とを備えていることを特徴とする。
前記温度補償部は、前記赤色ＬＥＤ用駆動電流及び緑色ＬＥＤ用駆動電流を温度変化によって補償するＮＴＣサーミスタと、前記ＮＴＣサーミスタに並列に連結されて前記赤色ＬＥＤ用駆動電流及び緑色ＬＥＤ用駆動電流の線形性を補償する線形補償用抵抗とを含むことを特徴とする。
【００１５】
前記温度補償部は、前記赤色ＬＥＤ用駆動電流を温度変化によって補償する第１ＮＴＣサーミスタと、前記第１ＮＴＣサーミスタに並列に連結されて前記赤色ＬＥＤ用駆動電流の線形性を補償する第１線形補償用抵抗とを含む第１温度補償回路と、前記緑色ＬＥＤ用駆動電流を温度変化によって補償する第２ＮＴＣサーミスタと、前記第２ＮＴＣサーミスタに並列に連結されて前記緑色ＬＥＤ用駆動電流の線形性を補償する第２線形補償用抵抗とを含む第２温度補償回路とを備えていることを特徴とする。
【００１６】
前記第１ＮＴＣサーミスタは、前記第２ＮＴＣサーミスタの温度感度よりも高い温度感度を有することを特徴とする。
【００１７】
前記ＬＥＤ部は、一つの駆動電流によって駆動される複数のカラーＬＥＤを含む第１ＬＥＤ部と、他の一つの駆動電流によって駆動される複数のカラーＬＥＤを含む第２ＬＥＤ部と、さらに他の一つの駆動電流によって駆動される複数のカラーＬＥＤを含む第３ＬＥＤ部とを含むことを特徴とする。
【００１８】
前記第１ＬＥＤ部は、複数の赤色ＬＥＤによって形成されている場合に前記赤色ＬＥＤ用駆動電流によって駆動されることを特徴とする。
【００１９】
前記第２ＬＥＤ部は、複数の緑色ＬＥＤによって形成されている場合に前記緑色ＬＥＤ用駆動電流によって駆動されることを特徴とする。
【００２０】
前記第３ＬＥＤ部は、複数の青色ＬＥＤによって形成されている場合に前記青色ＬＥＤ用駆動電流によって駆動されることを特徴とする。
【００２１】
前記第１、第２及び第３ＬＥＤ部のそれぞれは、赤色ＬＥＤ、緑色ＬＥＤ及び青色ＬＥＤのうちの少なくとも２つのカラーＬＥＤを含んでいることを特徴とする。
【発明の効果】
【００２２】
本発明によれば、ＬＣＤバックライトに適用されるカラーＬＥＤ駆動装置において、ＬＣＤバックライトに適用可能なカラーＬＥＤの駆動電流経路にＮＴＣサーミスタを直接連結して温度変化によるＬＥＤの特性変動を補償するようにしたので、フィードバック構造を備える必要がなくなり、小型化及び低価格化に有利であるという効果が得られる。
【００２３】
すなわち、従来の定電流源を用いるＬＥＤ駆動装置に比べて、定電流源のためのトランジスタ駆動構造やトランジスタのベース電圧制御のためのＯＰ−Ａｍｐ回路などを設けずに、ＬＥＤに流れる電流経路（Ｐａｔｈ）に固定抵抗とＮＴＣサーミスタだけで構成した受動（Ｐａｓｓｉｖｅ）素子を挿入しただけなので、構造が極めて簡単なバックライトモジュールを実現することが可能となり、上位モジュールとのインターフェースマッチングが容易である。
【００２４】
なお、温度センサーから任意の信号がフィードバックされる構造ではないため、フィードバック信号と温度との関係性及び正確性を考慮する必要がなく設計が容易となる。
【００２５】
なお、固定抵抗及びＮＴＣサーミスタだけを使用しているため価格面で有利であり、尚且つ、小型チップ部品として適用可能なため小型化ができ、これによってバックライトの設計に当って空間的な活用が有利となる。
【発明を実施するための最良の形態】
【００２６】
以下、本発明に係るカラーＬＥＤ駆動装置の好適な実施例を、添付の図面を参照して詳細に説明する。図面中、実質的に同じ構成と機能を持つ構成要素については同一の参照符号を共通して使用するものとする。
【００２７】
図３は、本発明に係るカラーＬＥＤ駆動装置の構成を示す図である。
【００２８】
図３に示すように、本発明に係るカラーＬＥＤ駆動装置は、駆動定電圧部１００と、駆動回路部２００と、温度補償部３００と、ＬＥＤ部４００とを含んでいる。
【００２９】
駆動定電圧部１００は、予め設定された駆動定電圧ＶＤを、駆動回路部２００に供給している。ここで、駆動定電圧ＶＤは、負荷側の抵抗によらず常に一定の電圧（例えば、５Ｖ）であるため、抵抗を変化させて駆動電流を調節すれば良い。
【００３０】
駆動回路部２００は、駆動定電圧部１００から供給された駆動定電圧ＶＤを、カラーＬＥＤの駆動のために複数の駆動電流に変換する。ここで、複数の駆動電流としては、赤色ＬＥＤ用駆動電流Ｉｒｄ、緑色ＬＥＤ用駆動電流Ｉｇｄ及び青色ＬＥＤ用駆動電流Ｉｂｄを含んでいる。
【００３１】
温度補償部３００は、駆動回路部２００で変換された複数の駆動電流のうち、赤色ＬＥＤ用駆動電流Ｉｒｄ及び緑色ＬＥＤ用駆動電流Ｉｇｄの温度変化による変動を補償している。
【００３２】
ＬＥＤ部４００は、温度補償部３００からの駆動電流及び駆動回路部２００からの駆動電流によってそれぞれ点灯する複数のカラーＬＥＤを含んでいる。
【００３３】
ＬＥＤ部４００は、一つの駆動電流によって駆動される複数のカラーＬＥＤを含む第１ＬＥＤ部４１０と、他の一つの駆動電流によって駆動される複数のカラーＬＥＤを含む第２ＬＥＤ部４２０と、さらに他の一つの駆動電流によって駆動される複数のカラーＬＥＤを含む第３ＬＥＤ部４３０とを含んでいる。
【００３４】
ここで、第１ＬＥＤ部４１０が複数の赤色ＬＥＤによって構成されている場合には、赤色ＬＥＤ用駆動電流Ｉｒｄによって駆動される。第２ＬＥＤ部４２０が複数の緑色ＬＥＤによって構成されている場合には、緑色ＬＥＤ用駆動電流Ｉｇｄによって駆動される。第３ＬＥＤ部４３０が複数の青色ＬＥＤによって構成されている場合には、青色ＬＥＤ用駆動電流Ｉｂｄによって駆動される。
【００３５】
また、第１、第２及び第３ＬＥＤ部４１０〜４３０のそれぞれは、赤色ＬＥＤ、緑色ＬＥＤ及び青色ＬＥＤのうちの少なくとも２つのカラーＬＥＤを含むことが可能である。
【００３６】
複数の赤色ＬＥＤ、複数の緑色ＬＥＤ及び複数の青色ＬＥＤのそれぞれは、互いに直列または並列に連結されている。例えば、第１、第２及び第３ＬＥＤ部４１０〜４３０のうちのいずれか一つのＬＥＤ部に赤色ＬＥＤと青色ＬＥＤが含まれている場合、該当するＬＥＤ部は赤色ＬＥＤ用駆動電流Ｉｒｄによって駆動することができる。
【００３７】
このような方式によって、本発明のＬＥＤ部４００の第１、第２及び第３ＬＥＤ部４１０〜４３０は、様々な色の組み合わせから形成されている。
【００３８】
図４（ａ）及び図４（ｂ）はそれぞれ、図３の温度補償部の一例を示す図である。
【００３９】
図４（ａ）を参照すると、温度補償部３００は、赤色ＬＥＤ用駆動電流Ｉｒｄ及び緑色ＬＥＤ用駆動電流Ｉｇｄを温度変化によって補償するＮＴＣサーミスタＴＨ２０と、ＮＴＣサーミスタＴＨ２０に並列に連結されて赤色ＬＥＤ用駆動電流Ｉｒｄ及び緑色ＬＥＤ用駆動電流Ｉｇｄの線形性を補償する線形補償用抵抗Ｒ２０とを含んでいる。ここで、ＮＴＣサーミスタＴＨ２０は、温度上昇によって抵抗値が減少する負温度特性（ＮＴＣ；ｎｅｇａｔｉｖｅ  ｔｅｍｐｅｒａｔｕｒｅ  ｃｏｅｆｆｉｃｉｅｎｔ）を持つサーミスタである。
【００４０】
図４（ｂ）を参照すると、温度補償部３００は、第１温度補償回路３１０と第２温度補償回路３２０とを含んでいる。
【００４１】
第１温度補償回路３１０は、赤色ＬＥＤ用駆動電流Ｉｒｄを温度変化によって補償する第１ＮＴＣサーミスタＴＨ２１と、第１ＮＴＣサーミスタＴＨ２１に並列に連結されて赤色ＬＥＤ用駆動電流Ｉｒｄの線形性を補償する第１線形補償用抵抗Ｒ２１とを含んでいる。
【００４２】
第２温度補償回路３２０は、緑色ＬＥＤ用駆動電流Ｉｇｄを温度変化によって補償する第２ＮＴＣサーミスタＴＨ２２と、第２ＮＴＣサーミスタＴＨ２２に並列に連結されて緑色ＬＥＤ用駆動電流Ｉｇｄの線形性を補償する第２線形補償用抵抗Ｒ２２とを含んでいる。
【００４３】
ここで、第１ＮＴＣサーミスタＴＨ２１は、赤色ＬＥＤが緑色ＬＥＤよりも温度に敏感であるという特性を考慮して、第２ＮＴＣサーミスタＴＨ２２の温度感度よりも一層高い温度感度を持つようにすることが好ましい。
【００４４】
図５（ａ）及び図５（ｂ）はそれぞれ、本発明のカラーＬＥＤ駆動装置における輝度−温度特性及び駆動電流−温度特性を示すグラフである。
【００４５】
以下、本発明の作用及び効果を、添付の図面に基づいて詳細に説明する。
【００４６】
図３乃至図５を参照して、本発明のカラーＬＥＤ駆動装置について説明すると、まず図３において、本発明の駆動定電圧部１００は、予め設定された駆動定電圧ＶＤを駆動回路部２００に供給する。
【００４７】
駆動回路部２００は、駆動定電圧部１００から供給された駆動定電圧ＶＤを、カラーＬＥＤを駆動するために複数の駆動電流に変換してそれぞれ該当するＬＥＤに供給する。
【００４８】
このとき、本発明の温度補償部３００は、駆動回路部２００から供給された複数の駆動電流のうち、赤色ＬＥＤ用駆動電流Ｉｒｄ及び緑色ＬＥＤ用駆動電流Ｉｇｄの温度変化による変動を補償する。
【００４９】
そして、本発明のＬＥＤ部４００に含まれた複数のカラーＬＥＤのそれぞれは、温度補償部３００からの駆動電流及び駆動回路部２００からの駆動電流によってそれぞれ点灯する。
【００５０】
前述した本発明の温度補償部３００は、様々な設計例が可能であり、なかでも図４（ａ）及び図４（ｂ）に示す２つの設計例について説明する。
【００５１】
図４（ａ）を参照すると、温度補償部３００は、互いに並列に接続されたＮＴＣサーミスタＴＨ２０と線形補償用抵抗Ｒ２０とを含み、ＮＴＣサーミスタＴＨ２０によって駆動回路部２００からの赤色ＬＥＤ用駆動電流Ｉｒｄ及び緑色ＬＥＤ用駆動電流Ｉｇｄが温度変化によって補償される。
【００５２】
このとき、線形補償用抵抗Ｒ２０によって赤色ＬＥＤ用駆動電流Ｉｒｄ及び緑色ＬＥＤ用駆動電流Ｉｇｄの線形性が補償される。
【００５３】
図４（ｂ）を参照すると、温度補償部３００は、第１温度補償回路３１０と第２温度補償回路３２０とを含んでいる。この場合、第１温度補償回路３１０は、第１ＮＴＣサーミスタＴＨ２１と第１線形補償用抵抗Ｒ２１とを含み、第１ＮＴＣサーミスタＴＨ２１は、赤色ＬＥＤ用駆動電流Ｉｒｄを温度変化によって補償し、第１線形補償用抵抗Ｒ２１は、第１ＮＴＣサーミスタＴＨ２１に並列に連結されて赤色ＬＥＤ用駆動電流Ｉｒｄの線形性を補償する。
【００５４】
一方、第２温度補償回路３２０は、第２ＮＴＣサーミスタＴＨ２２と第２線形補償用抵抗Ｒ２２とを含み、第２ＮＴＣサーミスタＴＨ２２は、緑色ＬＥＤ用駆動電流Ｉｇｄを温度変化によって補償し、第２線形補償用抵抗Ｒ２２は第２ＮＴＣサーミスタＴＨ２２に並列に連結されて緑色ＬＥＤ用駆動電流Ｉｇｄの線形性を補償する。
【００５５】
なお、第１ＮＴＣサーミスタＴＨ２１は、第２ＮＴＣサーミスタＴＨ２２の温度感度よりも高い温度感度を持っている。
【００５６】
ここで、ＮＴＣサーミスタは、負抵抗係数を持つサーミスタである。そして、ＬＥＤ部４００に含まれる複数のＬＥＤは、互いに直列連結または並列連結されている。また、ＬＥＤの使用数量は、バックライトの目的、大きさなどによって異なり、駆動電圧の大きさに応じて直列、並列連結を調整すれば良い。通常使用される数十ｍＡ単位の駆動電流を持つＬＥＤの場合を例に挙げて説明すると、順方向電圧ＶＦがＶＦ（Ｒｅｄ）＜ＶＦ（Ｇｒｅｅｎ）≒ＶＦ（Ｂｌｕｅ）の関係を持つので、定電圧源を決定すると直列連結を可能にする組み合わせの数は決定される。このような駆動電圧は、使用しようとする上位モジュールの供給電源または別の駆動ＩＣなどの出力によって大きさを変えることができる。
【００５７】
例えば、図４（ａ）及び図４（ｂ）を参照すると、青色（Ｂｌｕｅ）ＬＥＤでは、温度による輝度変化が非常に少ないため補償する必要がなく、ＲＧＢのそれぞれのＬＥＤを常温（２５℃）で駆動する場合の目標電流値は、ＬＥＤの温度による電圧−電流特性、温度による効率及び輝度特性などを通じて、目標とするバックライトのホワイトバランス及びＲＧＢ輝度比によって決定することができる。
【００５８】
この時、図４（ｂ）を参照すると、赤色（Ｒｅｄ）ＬＥＤ段の総抵抗値は、Ｒ１１＋（Ｒ２１／／ＴＨ２１）、緑色（Ｇｒｅｅｎ）ＬＥＤ段の総抵抗値はＲ１２＋（Ｒ２２／／ＴＨ２２）となるので、目標電流値から総抵抗値も決定される。常温における目標電流値と高温（例えば、８０℃）における目標電流値が定められると、それによって総抵抗値の差が計算され、ＮＴＣサーミスタの仕様を決定することができる。
【００５９】
一方、図５（ａ）及び図５（ｂ）を参照すると、ＮＴＣサーミスタの温度と抵抗との特性グラフは線形的ではないが、固定抵抗と並列に連結した結果、線形性を大きく改善することができる。
【００６０】
なお、図５（ａ）には、温度補償前後の相対的な輝度変化率を示しており、図５（ｂ）には、温度補償による駆動電流の変化を示している。
【００６１】
以上の本発明によれば、駆動定電圧を用いるため、電流は負荷の抵抗値によって変わる。このとき、温度が上昇すると、本発明のＮＴＣサーミスタの抵抗値が低くなることから総抵抗値も低くなり、電流はより多く流れるようになる。この場合、温度上昇によってＬＥＤの順方向電圧が低くなる現象を考慮した設計が要求される。
【００６２】
以上では具体的な実施例及び添付の図面に基づいて本発明を説明してきたが、本発明はそれらによって限定されることはなく、特許請求の範囲によって限定される。したがって、本発明において、本発明の技術的思想を逸脱しない範囲内で様々な置換、変形及び変更が可能であるということは、本発明の属する技術分野において通常の知識を通する者にとって明白である。
【図面の簡単な説明】
【００６３】
【図１】従来のカラーＬＥＤ駆動装置の構成を示す図である。
【図２】図１のカラーＬＥＤにおける輝度−温度特性を示すグラフである。
【図３】本発明に係るカラーＬＥＤ駆動装置の構成を示す図である。
【図４】図３の温度補償部の一例を示す図である。
【図５】本発明のカラーＬＥＤ駆動装置における輝度−温度特性及び駆動電流−温度特性をそれぞれ示すグラフである。
【符号の説明】
【００６４】
１００      駆動定電圧部
２００      駆動回路部
３００      温度補償部
３１０      第１温度補償回路
３２０      第２温度補償回路
４００      ＬＥＤ部
ＶＤ        駆動定電圧
Ｉｒｄ      赤色ＬＥＤ用駆動電流
Ｉｇｄ      緑色ＬＥＤ用駆動電流
Ｉｂｄ      青色ＬＥＤ用駆動電流
ＴＨ２０    ＮＴＣサーミスタ
ＴＨ２１    第１ＮＴＣサーミスタ
ＴＨ２２    第２ＮＴＣサーミスタ
Ｒ２０      線形補償用抵抗
Ｒ２１      第１線形補償用抵抗
Ｒ２２      第２線形補償用抵抗
【図１】
2007201473.tif 000003
【図２】
2007201473.tif 000004
【図３】
2007201473.tif 000005
【図４】
2007201473.tif 000006
【図５】
2007201473.tif 000007